(57)【要約】単巻変圧器が、ＣＲＴの焦点調整電極に駆動信号を適用するための高電圧増幅器の出力をステップアップする。水平走査周波数のような偏向周波数で放物線信号が得られ又は生成され、増幅器の入力として適用される。増幅器の出力は、単巻変圧器のセンタータップに結合される。１つの巻線は、焦点調整電極に直列に結合され、他方の巻線は、増幅器の出力と並列に、コンデンサによってアースにＡＣ結合される。変圧器は、増幅器の出力電圧をステップアップし、増幅器のトランジスタに必要な定格電圧を削減し得る。
2005529504.tif 000002
【特許請求の範囲】
【請求項１】
焦点調整電極を含む陰極線管と、
偏向周波数に関する周波数での放物線信号の供給源と、
前記放物線信号に応じる増幅器であって、所定の振幅を有する動的焦点調整信号を生成するように、前記放物線信号を増幅する増幅器と、
前記増幅器と前記焦点調整電極の間で結合された変圧器であって、前記焦点調整電極の所定の振幅をステップアップして、駆動する変圧器と
を有するビデオ画像装置
【請求項２】
請求項１に記載のビデオ画像装置であって、
前記所定の振幅が、電圧の振幅であり、
前記焦点調整電極が、前記陰極線管の電子ビームに静電的焦点調整効果を適用するビデオ画像装置。
【請求項３】
請求項１に記載のビデオ画像装置であって、
前記変圧器が、磁気コアを介して結合された複数の巻線を有する単巻変圧器であるビデオ画像装置。
【請求項４】
請求項１に記載のビデオ画像装置であって、
前記変圧器が、磁気コアを介して結合された複数の巻線を有するセンタータップ単巻変圧器であり、
前記単巻変圧器のセンタータップが、前記増幅器の出力に結合されるビデオ画像装置。
【請求項５】
請求項４に記載のビデオ画像装置であって、
前記巻線のうちの１つとアースとの間で結合されたコンデンサを更に有し、
前記巻線のうちの他方が、前記焦点調整電極と直列に結合するビデオ画像装置。
【請求項６】
請求項４に記載のビデオ画像装置であって、
前記巻線のうちの１つと前記焦点調整電極との間で直列に結合されたコンデンサを更に有するビデオ画像装置。
【請求項７】
請求項４に記載のビデオ画像装置であって、
前記焦点調整電極に結合された静的な電圧の供給源を更に有するビデオ画像装置。
【請求項８】
請求項４に記載のビデオ画像装置であって、
前記焦点調整電極が、動的焦点調整電極を有し、
ＣＲＴが、静的焦点調整電極を更に有し、
前記動的焦点調整電極が、前記巻線のうちの１つに直列に結合され、
前記静的焦点調整電極に結合された静的な電圧の供給源を更に有するビデオ画像装置。
【請求項９】
請求項１に記載のビデオ画像装置であって、
前記変圧器がスロット巻ボビン（ｓｌｏｔ−ｗｏｕｎｄ  ｂｏｂｂｉｎ）を有するビデオ画像装置。
【発明の詳細な説明】
【発明の詳細な説明】
【０００１】
本発明は、特にゲート高電圧増幅器の出力電圧を高めるために単巻変圧器を用いた、陰極線管用の動的焦点調整回路に関するものである。
［背景技術］
ディスプレイ又はプロジェクション用の陰極線管において、１つ以上の電子銃は、陰極線管のフェースプレートの蛍光体に静電気で引き付けられる電子を放出する。偏向コイルによって作られた時間変化する磁界によって、ビームがラスターパターンで走査されると、電子ビーム電流の振幅は、蛍光体の輝度を変化するように変化される。電子のビームは、静電気の反発のため、発散する傾向にある。ＣＲＴビームの電子が陰極からスクリーン（陽極）に移動すると、電子銃に関する焦点調整装置は、走査ビームの発散する電子がフォーカスされた点に再度収束することを引き起こす。最小のビームの直径の正確な点は、収束する力又はフォーカスする力が作用する距離に依存する。陰極とスクリーン上のビームの瞬間走査点との間の距離より大きい又は小さい距離でビームが収束すると、ビームはフォーカスされない。特に、ビームがスクリーンのより広い範囲で広がり、拡散し、入射する。そうでなければ１つの蛍光ドットほど小さい画素の大きさを有することがある画像の最高の可能な解像度は、ビームがちょうど１つの画素で入射するようにフォーカスされなければ、達成できない。
【０００２】
陰極と最小の直径の点との間の距離は、焦点調整装置の焦点距離と考えられ得る。焦点調整装置は、光学レンズの動作と同様の方法で動作して、回折により光線を収束する。しかし、一般的なスクリーンの範囲で陰極とスクリーンとの間の距離が一定でないため、ＣＲＴの焦点調整装置から必要な焦点距離は、ラスターの走査中に変化する。
【０００３】
スクリーンの全ての点が電子銃から等しい距離である場合、スクリーンは電子銃に原点を有する球面の選択を定める。現代の受像管の設計は、相対的に大きい表示範囲を有する一方で、テレビ受信機のキャビネットの奥行きを抑えるように努めており、フェースプレートは球面のような表面より一般的に非常に平坦である。一般的なスクリーンは、平面的ではなく、ゆるやかな曲率の半径を有しているが、曲率の半径は、電子銃とスクリーンとの間の距離と異なる。一般的な曲率の半径は、ビームの始点と蛍光体との間の距離より長く、全体のフェースプレートで一定ではない。
【０００４】
ＣＲＴは可変焦点調整回路を備え、スクリーンの異なる点で陰極とスクリーンとの間の距離の差を調整する。最短の半径の距離は、一般的にスクリーンの中央部である。半径は、中央から離れて側面に沿って横に進むにつれて、又は垂直に上下に進むにつれて、長くなる。最大の距離は、ディスプレイの四隅である。他のレイアウトも可能であり、その場合、１つ以上の電子銃が中心から外れている。
【０００５】
焦点調整回路は、スクリーン上の点でビームを収束し、又はフォーカスするために、静電気電圧を適用する。フォーカスする力は、例えば個々の焦点調整電極を用いたＤＣ及びＡＣ成分を含む。スクリーン上の異なる点の距離の差を調整するために、動的焦点調整電圧はまた、ラスターの走査中に焦点調整回路の焦点距離を変化するように適用される。必要な動的電圧は、一般的に放物線の形状であり、すなわち、中央よりスクリーンの端の近くでより大きい変化率を有する。極めて広く、奥行きの小さい受像管の場合、勾配の差は非常に大きく、その場合、動的成分は“バスタブ形状”と呼ばれることがある。
【０００６】
水平偏向出力段のＳ型コンデンサで作られたＳ修正電圧からの水平走査レートで、焦点調節用の放物線の電圧成分を導き出すことが知られている。垂直の偏向を制御するために使用される鋸歯状の信号を結合することにより、垂直レートの放物線を提供する方法も知られている。従って、ＣＲＴの焦点調整電極を駆動するために、例えば整流されたＤＣレベルが偏向電源のＢ＋電圧又はフライバック変圧器の巻線に、放物線の形状のＡＣ信号を加えて、同様の形状の垂直レートの放物線を加えたものから得られる。
【０００７】
他の方法として、コンデンサによって終端処理された整流器に結合された偏向ヨーク電流を使用し、水平偏向電流を表す電流のランプを結合することが知られている。それは高電圧の放物線を提供する。多かれ少なかれ偏向回路から信号を直接生成することに基づくそのような方法は、ある状況においてうまく動作する。しかし、それは実質的に一定の信号を仮定しており、例えばフォーカス信号をゲートでオンとオフにすることが望ましい自動カインバイアス（ａｕｔｏｍａｔｉｃ  ｋｉｎｅ  ｂｉａｓ）（ＡＫＢ）の場合、さもなければ水平信号が一定の放物線以外の何かである場合に、うまく動作しない。
【０００８】
Ｇｅｏｒｇｅによる米国特許６，２７８，２４６とＣｒａｉｇによる米国特許６，１１８，２３３は、偏向巻線から供給される高電圧増幅器を有し、焦点調整駆動信号を作るように動作可能な静電的焦点調整回路を教示し、前記信号はＡＫＢのため、ゲートでオンとオフにされる。ＡＫＢサンプリング間隔の間に低レベルで動的焦点調整信号をゲートでオフすることは、高電圧の水平レートの波形の内部結合による悪影響なしに、ＣＲＴの電流が正確にサンプリングされることを確保する。増幅器は、そのような動的焦点調整波形のオン／オフのゲートを容易にする利点を有し、また、例えば焦点調整信号を“バスタブ”の形状にする機会を提供するように、動的焦点調整波形の形状を最適化するある程度の柔軟性を提供する。
【０００９】
しかし、そのような増幅器は、必要以上に多くの電圧で動作する。その電圧レベルは、トランジスタのような特定の増幅器の構成要素が利用可能であり、又は長い実用的な寿命で動作する範囲の上限である。高電圧増幅器の利点を有するが、構成要素により弱い動作ストレスが存在し、回路に関するより小さいコストが存在する回路を提供することが有利である。
【００１０】
例えば、テレビ又はその他のＣＲＴを備えた画像処理装置の設計基準は、少なくとも所定の電圧又は構成要素が使用されるレベルより例えばある量又はある比率だけ高い電圧レベルで評価された構成要素の使用を伴う。そのような設計基準の目的は、例えば装置の実用的な寿命を延ばすために構成要素の出力レベルを下げることがある。しかし、構成要素が利用可能な極度の範囲での動作を回路設計が必要とする場合、それは困難又は不可能である。
【００１１】
本発明の態様によると、本発明は、利用可能な又は評価された電圧レベルの上限で動作するトランジスタのような構成要素の必要性を削減する。すなわち、所定の電圧レベルで動作する構成要素が利用可能であっても、本発明によると、低電圧の構成要素が使用され得る。このことは、高電圧増幅器の形式の焦点調整駆動回路に関する他の利点を維持する一方で出力電圧レベルを増加するように、動的焦点調整増幅器の出力に結合されたステップアップ変圧器を提供することによって達成される。
［好ましい実施例の説明］
図１は、本発明の構成によるビデオ画像装置を示したものであり、動的焦点調整増幅器２２は、所定の出力振幅ＶＡの時間変化する焦点調整信号を作るように動作し、その電圧は単巻変圧器４２を用いてより高い振幅ＶＦまでステップアップされる。より高い振幅の電圧ＶＦは、陰極線管３２の動的焦点調整電極２６に適用される。高ＤＣ電圧ＶＤＣが、静的焦点調整電極２７に同時に適用される。
【００１２】
本発明は、より低い電圧で使用するために評価された増幅器の構成要素の使用を可能にする方法で、高電圧の動的焦点調整信号を提供し、それによってコストを制御しながら装置の寿命を改善する。
【００１３】
焦点調整電極２６は、ＣＲＴ３２のスクリーンの電子ビームの走査の偏向周波数に関する周波数での放物線の電圧で駆動される。入力放物線信号ＶＰＡＲＡＢは、一般的に図１に示される供給源２５から作られ、垂直レートと水平レートで放物線の構成要素を提供し、それらが合計されて増幅器２２の入力として適用される。
【００１４】
放物線信号のための多様な供給源３５が可能である。好ましくは、２つの放物線信号の構成要素が含まれ、すなわち１つは水平走査周波数で、１つは垂直走査周波数である。電極２６での動的焦点調整出力のために、垂直のピーク間での３００Ｖに対して水平のピーク間で１ＫＶのように、より高い振幅の水平の変化が必要とされる。
【００１５】
水平レートの供給源は、有利には水平偏向回路に関するＳ型コンデンサの電圧であることがある。垂直レートの供給源は、同様に垂直偏向回路の適切な点から得られ得る。
【００１６】
増幅器２２への入力信号が放物線として表される限り、当然ながら、その信号はＣＲＴ３２のディスプレイスクリーンの形状を占めるために必要な駆動信号である。スクリーンの平坦度及び／又は回路の属性は、電圧や電流や電圧レベル等に関して、数学関数の放物線と等しく一致しない。“放物線”は、一般的に必要な波形を参照することを意図し、スクリーンの側面部に対応する部分でのより大きい変化率（すなわち時間勾配）と中央部に対応する部分でのより低い変化率とを有する信号である。従って、その語はまた、いわゆるバスタブ形状を含み、その場合、勾配の格差はなだらかな放物線よりいくらか急に生じる。
【００１７】
増幅器２２への供給源又は入力“放物線”信号は、好ましくは垂直及び水平レートの放物線の電圧成分を含み、その他、結合されると放物線を生じる鋸歯状電流のように、放物線が生成され得る成分又は信号を含み得る。従って、例えば垂直レートの鋸歯は、積分器（図示なし）と共同して垂直レートの放物線信号を提供し得る。水平及び垂直の放物線信号は、動的焦点調整増幅器２２の１つ以上の入力に結合され、所定の振幅を有する動的焦点調整信号ＶＡを作ることができる。
【００１８】
有利には、増幅器２２は追加の機能を供給し得る。増幅器２２は、例えば制御信号に応じて動的焦点調整出力をゲートでオン及びオフする機能を有することがある。制御信号は、例えば自動カインバイアス（ａｕｔｏｍａｔｉｃ  ｋｉｎｅ  ｂｉａｓ）フィードバック制御構成でＣＲＴ電流を感知することに関する測定間隔の間に動的焦点調整出力をゲートでオフするＡＫＢ検知信号ＶＡＫＢであることがある。この機能は、一般的に図１において、図示されていない供給源から周知の方法で生じ、トランジスタＱ２０を介して動的焦点調整増幅器２２をオン及びオフするためのＡＫＢ検知信号ＶＡＫＢで示される。
【００１９】
増幅器２２は、図１に示されるようにＡＫＢゲートに結合されたカスコード増幅器であることがある。コンデンサＣ２３は、抵抗Ｒ１７を介して高電圧カスコード増幅器２２に水平レートの放物線をＡＣ結合する。コンデンサＣ１０は、供給源３５から水平の放物線との加算結合部に垂直レートの放物線を静電結合する。
【００２０】
増幅器２２は、一般的にバイアス用に制御され、トランジスタＱ２０を介して自動カインバイアス（ａｕｔｏｍａｔｉｃ  ｋｉｎｅ  ｂｉａｓ）ゲート信号ＶＡＫＢから切り替えられる、放物線の入力成分に応じた２つ以上の高電圧のトランジスタを有する。焦点調整増幅器２２の直流動作基点は、抵抗Ｒ１０によって定められ、入力放物線信号によっては定められない。入力での静電結合は、直流成分を除去する。コンデンサＣ２４は、水平の焦点調整補正が適切な時間になるように、増幅器２２の浮遊入力容量（図示なし）によって引き起こされる位相遅れを補正する。
【００２１】
増幅器２２において、トランジスタＱ５とトランジスタＱ６は相互に結合され、作動入力段を作る。前記トランジスタは、ベータ（ｂｅｔａ）と称される非常に大きいコレクタ電流対ベース電流比を有し、トランジスタＱ５のベースに高入力インピーダンスを提供する。トランジスタＱ５とＱ６のベースとエミッタの接点の電圧は、相互に補い合い、温度変化でドリフトされる直流バイアスを軽減する。抵抗Ｒ１０は、一般的にトランジスタＱ５、Ｑ６のエミッタに結合される。トランジスタＱ６は、＋１２Ｖの供給電圧に結合される。トランジスタＱ６のベースの電圧は、コンデンサＣ２０によってフィルタリングされ、抵抗Ｒ２５によってトランジスタＱ６のベースに結合された抵抗Ｒ１１、Ｒ１２からなる分圧器によって定められる。
【００２２】
トランジスタＱ５とＱ６のエミッタに結合された共通のエミッタ抵抗Ｒ１０の値は、約８．３ｍＡ［２．３／２７０］の最大電流を伝導するように選択される。このことは、ＡＫＢゲート信号ＶＡＫＢによって切り替えられる高電圧のトランジスタＱ２０を保護する。
【００２３】
トランジスタＱ２０は、カスコード構成でトランジスタＱ５に結合される。トランジスタＱ２０は一般的に約１０ｍＡのコレクタ電流までしか許容できないため、トランジスタＱ２０は有利には過度の活動状態から保護される。このことは、前述の通り抵抗Ｒ１０によって達成される。
【００２４】
トランジスタＱ２０とＱ５のカスコード構成は、トランジスタＱ２０のコレクタとベースの接点を通じたミラーキャパシタンス（Ｍｉｌｌｅｒ  ｃａｐａｃｉｔａｎｃｅ）（図示なし）を隔離し、他の増幅器の構成に比較して増加した帯域を提供する。カスコード構成はまた、増幅器のゲインを高電圧のトランジスタＱ２０の低いベータ（ｂｅｔａ）から独立にする。増幅器２２は、増幅器２２に電圧を加えるために整流されてフィルタリングされたステップアップ・リトレース電圧から導き出され得る例えば約１６００Ｖの供給電圧から駆動される。活性のプルアップ・トランジスタＱ１は、１６００Ｖの供給電圧に結合されたコレクタを有する。トランジスタＱ１のベースのプルアップ抵抗Ｒ１は、ダイオードＤ７とコンデンサＣ２６を含むブートストラップ又は昇圧構成を介して供給電圧に結合される。ダイオードＤ５は、抵抗Ｒ１と直列に結合され、トランジスタＱ２０のコレクタに結合される。ダイオードＤ４は、端子９７ａでトランジスタＱ１のエミッタとトランジスタＱ２０のコレクタを結合する。
【００２５】
リトレース電源からの負のピークの間に、ダイオードＤ７は、ダイオードＤ７の陰極でコンデンサＣ２６の端子を＋１６００Ｖの供給電圧にクランプし、トランジスタＱ２０は、グラウンド電位の近くまでコンデンサＣ２６の他方の端子をひきつける。トランジスタＱ１は、ダイオードＤ４とＤ５によりホールドオフされる。供給電圧が上昇すると、コンデンサＣ２６に蓄えられるエネルギーが抵抗Ｒ１を通してトランジスタＱ１のベースに供給される。トランジスタＱ１のコレクタ対エミッタ電圧がゼロに近づく場合でも、抵抗Ｒ１の電圧は高く維持され、トランジスタＱ１のベース電流もまた維持される。従って、トランジスタＱ１のエミッタ電流が維持される。リトレース電源の出力の正のピークは、歪みがなく、＋１６００Ｖの供給電圧レベルに非常に近くなり得る。
【００２６】
図１に示されるキャパシタンスＣ１は、焦点調整電極２６と巻線に関連するキャパシタンスを表す。活性のプルアップ・トランジスタＱ１は、単巻変圧器４２のセンタータップに電流を供給する。プルダウン・トランジスタＱ２０は、同様にプッシュプル方法でダイオードＤ４を介して電流を下げる。
【００２７】
増幅器２２は、単巻変圧器４２を通じて動的焦点調整電極２６を駆動し、Ｒ２８とＲ２９の分圧器からＤＣバイアスレベルの頂上で、図示の例において例えば８ＫＶの動的焦点調整電圧を提供する。更に、第２の焦点調整電極２７が提供されることがあり、同じ１０ＫＶの供給源から第２の分圧器Ｒ２８’、Ｒ２９’によって提供された静的なＤＣレベルを有することがある。
【００２８】
本発明の態様によると、単巻変圧器４２は、異なる電圧ＶＦで焦点調整電極２６を駆動するために、増幅器２２の出力ＶＡのＡＣ成分又は動的焦点調整電圧成分をステップアップするように、増幅器２２の出力ＶＡとＣＲＴ３２の焦点調整電極２６との間で結合され、前記ＶＦのＡＣ成分は、少なくとも幾分かＶＡのＡＣ成分より大きい。
【００２９】
本発明は、増幅器２２の構成要素、特に高電圧トランジスタＱ１とＱ２が、ＶＦ、すなわち焦点調整電極２６のＡＣ成分のピーク間振幅と同じ電圧の振幅で動作し、又は評価される必要がないという、特に有利な効果を有する。増幅器２２は、相対的に低い供給電圧（図示された実施例では１６００Ｖ）で動作されることが可能であり、電圧ＶＡ（１６００Ｖの供給電圧よりいくらか少ない）のＡＣ成分のピーク間振幅は、変圧器４２の出力電圧ＶＦの更に高いピーク間振幅、例えば２ＫＶまでステップアップされる。増幅器２２の構成要素は、１６００Ｖの動作で評価されることがあり（又はストレスを削減する目的の設計ルールに従って出力レベルが下げられる）、その一方でそうでない場合に２ＫＶでの増幅器２２の動作を必要とする出力レベルを作る。Ｑ１とＱ２０のような増幅器２２の構成要素は、出力レベルが下げられ、実際に最大定格電圧の８０％で動作され得る。このことは、焦点調整回路の信頼性と寿命を改善する。
【００３０】
前記の利点を達成するために、単巻変圧器４２は入力電圧を実質的に増加させる必要はない。２ＫＶに対する１６００Ｖの例において、変圧器４２で提供されるステップアップは２５％である。それにもかかわらず、おそらく適度の増加は、電圧ＶＡのピーク間振幅より低い最大動作電圧で評価された増幅器の使用を可能にし、又はより高い電圧で動作可能な構成要素がより良い準用と信頼性のために出力を下げられた低電圧で使用されることを可能にする。
【００３１】
変圧器４２は、好ましくは磁気コアを介して結合された複数の巻線４３、４５を有するセンタータップの単巻変圧器である。単巻変圧器のセンタータップは、放物線信号Ｖｐａｒａｂが入力として適用される増幅器２２の出力に結合される。２つの変圧器の巻線４３、４５は、センタータップで相互に直列接続される。変圧器４２の出力は、直列コンデンサＣ２２を通じて巻線のうちの１つに直列に、焦点調整電極２６に結合される。他方の巻線は、同様にコンデンサＣ２１を通じてアースにＡＣ結合される。ＶＦでの動的ＡＣ焦点調整信号は、焦点調整電極２６で抵抗Ｒ２８、Ｒ２９からの静的なＤＣ焦点調整電圧と合計される。静的焦点調整電極は、抵抗Ｒ２８’、Ｒ２９’からの同様の分圧器によって、同様に静的焦点調整電圧ＶＤＣに保持される。電圧電極２６、２７と直列結合と同様に、分圧器Ｒ２８、Ｒ２９又はＲ２８’、Ｒ２９’の双方又は一方は、好ましくは微調整のために手動調整可能な抵抗（図示なし）を更に備えられ得る。
【００３２】
図２の単巻変圧器４２は、特にスロット巻ボビン（ｓｌｏｔ−ｗｏｕｎｄ  ｂｏｂｂｉｎ）型として具体化されている。単巻変圧器４２は、関連する増幅器２２の出力に照らして、焦点調整電極でステップアップされた動的焦点調整電圧成分を得るために、動的焦点調整増幅器の出力をステップアップする。このより高い出力の動的フォーカスは、例えば真に平坦なＭＲガンＣＲＴ（“Ｅｕｒｅｋａ”形式として以前は知られていた）において適切である。この形式のＣＲＴは、ＣＯＴＹガンＣＲＴのような従来の形式より大きい動的焦点調整範囲を必要とする。明らかに、他の形式と同様に、その双方の形式は、前述の出力レベルを下げる態様から恩恵を受け得る。前述のトランジスタ増幅器を用いる場合、長期間に渡って高い信頼性を達成するために、設計基準として出力レベルを下げる方式を使用することが有利である。例えば、得られ得る高電圧の焦点調整増幅器の最大定格が２ＫＶであり、必要な出力が２ＫＶと仮定すると、出力レベルを下げることが問題である。しかし、本発明に従って、１０％から３０％又はそれと同様の適度な比率で、及び場合によってはより高い比率で、単巻変圧器が出力電圧を高めると、信頼性を改善し、又は実用的な寿命を延ばすための出力レベルを下げる基準に従う一方で、必要な増幅器の出力を達成することが容易に可能になる。
【００３３】
本発明によると、１つ以上の放物線信号Ｖｐａｒａｂは、走査に調和して必要な形状の信号を作る何らかの種類の低レベル信号生成器によって提供され得る。電圧は、偏向回路の利用可能な節点又はその他のものから得られ得る。従って、放物線の供給源は、例えばＳコンデンサの電圧や、鋸歯電流に結合された積分器の出力のような処理された種類の他の信号や、他の形式の放物線生成器の出力や、デジタル制御された波形生成器や、“バスタブ”波形回路等であることがある。
【００３４】
好ましい構成において、放物線増幅器は、ＡＫＢ検知の間に焦点調整信号の生成を無効にするためにゲートすることが可能なトランジスタ増幅器である。ここで説明された高電圧カスコード増幅器の構成は、米国特許６，２７８，２４６又は６，１１８，２３３で開示されたカスコード増幅器の構成と実質的に類似するが、それらは単巻変圧器４２によって提供されるような類似の出力電圧の増加を欠いている。
【００３５】
本発明に従って使用される単巻変圧器４２は多数の巻数を有しており、それ故に例えば３００から５００ｍＨの相対的に高いインダクタンスを有するが、高い巻数比を有する必要はない。このことは、一般的に相対的に高電圧であるが低電流で評価されるカスコード増幅器の場合に当てはまる。本発明の態様によると、出力電圧レベルを高める単巻変圧器の使用によって、増幅器の構成要素、特にトランジスタの電圧定格を抑え又は勝ることができる。ＣＲＴ焦点調整電極は、静電気又は電圧で動作可能な機構として動作するが、それにもかかわらず、焦点調整回路は適切に機能する。
【００３６】
単巻変圧器４２は、好ましくはセンタータップで駆動され、出力電圧の望ましいステップアップ比率は、巻数比の選択、又はタップの下の巻線４３の数、すなわち増幅器の出力と並列にアースに結合された巻線に対するタップの“上”の巻線４５の巻数の数、すなわち増幅器２２の出力と焦点調整電極２６との間に直列結合された巻線の比率によって選択される。巻数比は１より大きく、それによって出力電圧を高める（ＶＦ＞ＶＡ）。タップの“下”の巻線は、コンデンサＣ２１によってアースにＡＣ結合され、タップの“上”の巻線は、コンデンサＣ２２によって焦点調整電極２６にＡＣ結合される。
【００３７】
焦点調整回路が標準の１Ｈのインタレース水平走査周波数（約１５ｋＨｚ）で使用される場合、増幅器の出力で焦点調整電極での波形の有効な再生を確保するため、単巻変圧器４２のインダクタンスは相対的に高く、すなわち５００ｍＨより大きい。マルチＨ動作（ｍｕｌｔｉｐｌｅ−Ｈ  ｏｐｅｒａｔｉｏｎ）の場合、単巻変圧器４２は、例えば２．４Ｈでより高い周波数での出力をゆがめ得る静電効果を最小化するために、好ましくは図２に示されるスロット・ボビン（ｓｌｏｔｔｅｄ  ｂｏｂｂｉｎ）、すなわち軸方向に分割されたセグメントでグループ化された巻線で構成される。単巻変圧器を軸方向にセグメント化されたスロット・ボビン（ｓｌｏｔｔｅｄ  ｂｏｂｂｉｎ）の構成に引き伸ばして分割することもまた、高電圧の動作中の電圧ストレスを最小化する。センタータップのいずれか一方の単巻変圧器のコイル部は、前述の通り、それぞれＣＲＴの焦点調整電極２６とアースに結合されたコンデンサＣ２１に結合される。コンデンサの値は、１Ｈの水平走査の動作に十分大きくなるが、特にＡＫＢゲートが焦点調整電極の影響を定期的に除去するために用いられる場合に、充電／放電電流の問題を引き起こすほど大きくないように選択される。単巻変圧器が３００−５００ｍＨのインダクタンスを有するスロット・ボビン（ｓｌｏｔｔｅｄ  ｂｏｂｂｉｎ）である好ましい実施例において、約４７０から１０００ｐＦ、好ましくは１０００ｐＦのコンデンサの値が適切である。
【００３８】
本発明の本質を説明するために前記に説明され、示された部分の詳細と物質と構成における多様な変更が、特許請求の範囲に記載された本発明の原理と範囲を逸脱することなく、当業者によって行われ得る。
【図面の簡単な説明】
【００３９】
【図１】本発明の装置を一般的に示した概略図である。
【図２】図１の回路で用いるためのスロット巻ボビン（ｓｌｏｔ−ｗｏｕｎｄ  ｂｏｂｂｉｎ）単巻変圧器を示した透視図である。
【図１】
2005529504.tif 000003
【図２】
2005529504.tif 000004
【手続補正書】
【提出日】平成16年6月11日(2004.6.11)
【手続補正１】
【補正対象書類名】特許請求の範囲
【補正対象項目名】全文
【補正方法】変更
【補正の内容】
【特許請求の範囲】
【請求項１】
焦点調整電極を含む陰極線管と、
偏向周波数に関する周波数での放物線信号の供給源と、
前記放物線信号に応じる増幅器であって、所定の振幅を有する動的焦点調整信号を生成するように、前記放物線信号を増幅する増幅器と、
前記増幅器と前記焦点調整電極の間で結合された単巻変圧器であって、共通に接続された磁気結合した巻線を有し、前記焦点調整電極の所定の振幅をステップアップして、駆動する単巻変圧器と
を有するビデオ画像装置
【請求項２】
請求項１に記載のビデオ画像装置であって、
前記所定の振幅が、電圧の振幅であり、
前記焦点調整電極が、前記陰極線管の電子ビームに静電的焦点調整効果を適用するビデオ画像装置。
【請求項３】
焦点調整電極を含む陰極線管と、
偏向周波数に関する周波数での放物線信号の供給源と、
前記放物線信号に応じる増幅器であって、所定の振幅を有する動的焦点調整信号を生成するように、前記放物線信号を増幅する増幅器と、
前記増幅器と前記焦点調整電極の間で結合された単巻変圧器であって、前記焦点調整電極の所定の振幅をステップアップして、駆動する単巻変圧器と
を有するビデオ画像装置であって、
前記単巻変圧器が、磁気コアを介して結合された複数の巻線を有するセンタータップ単巻変圧器であり、
前記単巻変圧器のセンタータップが、前記増幅器の出力に結合されるビデオ画像装置。
【請求項４】
請求項３に記載のビデオ画像装置であって、
前記巻線のうちの１つとアースとの間で結合されたコンデンサを更に有し、
前記巻線のうちの他方が、前記焦点調整電極と直列に結合するビデオ画像装置。
【請求項５】
請求項３に記載のビデオ画像装置であって、
前記巻線のうちの１つと前記焦点調整電極との間で直列に結合されたコンデンサを更に有するビデオ画像装置。
【請求項６】
請求項３に記載のビデオ画像装置であって、
前記焦点調整電極に結合された静的な電圧の供給源を更に有するビデオ画像装置。
【請求項７】
請求項３に記載のビデオ画像装置であって、
前記焦点調整電極が、動的焦点調整電極を有し、
ＣＲＴが、静的焦点調整電極を更に有し、
前記動的焦点調整電極が、前記巻線のうちの１つに直列に結合され、
前記静的焦点調整電極に結合された静的な電圧の供給源を更に有するビデオ画像装置。
【請求項８】
請求項１に記載のビデオ画像装置であって、
前記単巻変圧器がスロット巻ボビン（ｓｌｏｔ−ｗｏｕｎｄ  ｂｏｂｂｉｎ）を有するビデオ画像装置。
【手続補正書】
【提出日】平成16年8月26日(2004.8.26)
【手続補正１】
【補正対象書類名】図面
【補正対象項目名】図１
【補正方法】変更
【補正の内容】
【図１】
2005529504.tif 000005
【国際調査報告】
2005529504.tif 000006
2005529504.tif 000007